(57)【要約】【課題】収納空間を左右方向に仕切る仕切り板を所望の位置に容易に設置することができ、仕切り板の加工や構造の簡素化を実現することができる棚装置及び仕切り板の取付方法を提供する。【解決手段】棚装置１０において、収納空間Ｓ２の底板となる棚板２６は、その前端部２６ａから後方に所定距離離間した位置から後方に向かって形成された底板溝３０を有し、収納空間Ｓ２の天板となる棚板２４は、その前端部２４ａから後方に向かって底板溝３０と対向するように形成された天板溝３２を有する。仕切り板１２は、鉛直方向に立てた状態で、突出部１２ａを棚板２４の天板溝３２の前端開口に挿入し、収納空間Ｓ２の後方に向かってスライドさせた場合に、突出部１２ｂが棚板２６の上面２６ｂの上方を通過可能な高さ寸法Ｈａを有する。【選択図】図１
2015006250.tif 000002
【特許請求の範囲】
【請求項１】
天板と底板と左右の側板とで囲まれた収納空間を有する棚本体と、該収納空間を左右方向に仕切る仕切り板とを備える棚装置であって、
前記底板は、その前端部から後方に所定距離離間した位置から後方に向かって形成され、前記仕切り板の下端部が挿入される前後方向の底板溝を有し、
前記天板は、その前端部から後方に向かって前記底板溝と対向するように形成され、前記仕切り板の上端部が挿入される前後方向の天板溝を有し、
前記仕切り板は、該仕切り板を鉛直方向に立てた状態で、その上端部を前記天板溝の前端開口に挿入し、前記収納空間の前方から後方に向かってスライドさせた場合に、その下端部が前記底板の上面上方を通過可能な高さ寸法を有することを特徴とする棚装置。
【請求項２】
請求項１記載の棚装置において、
前記天板の前端部には、後方に向かって下方に傾斜した傾斜面が設けられていることを特徴とする棚装置。
【請求項３】
請求項１又は２記載の棚装置において、
前記仕切り板の高さ寸法は、前記天板溝の天面と前記底板の上面との間の鉛直方向距離よりも小さく、且つ前記天板の下面と前記底板溝の底面との間の鉛直方向距離よりも大きいことを特徴とする棚装置。
【請求項４】
天板と底板と左右の側板とで囲まれた収納空間を有する棚本体に対し、前記収納空間を左右方向に仕切る仕切り板を取り付けるための仕切り板の取付方法であって、
前記底板は、その前端部から後方に所定距離離間した位置から後方に向かって形成され、前記仕切り板の下端部が挿入される前後方向の底板溝を有し、
前記天板は、その前端部から後方に向かって前記底板溝と対向するように形成され、前記仕切り板の上端部が挿入される前後方向の天板溝を有し、
前記仕切り板を鉛直方向に立てた状態で、その上端部を前記天板溝の前端開口に挿入し、前記収納空間の前方から後方に向かってスライドさせることにより、その下端部を前記底板の上面上方を通過させた後、前記底板溝へと落下させることを特徴とする仕切り板の取付方法。
【発明の詳細な説明】
【技術分野】
【０００１】
本発明は、書棚等の収納空間を左右に仕切る仕切り板を備える棚装置、及び仕切り板の取付方法に関する。
【背景技術】
【０００２】
書籍等の収納に利用され、収納空間を左右方向に仕切る仕切り板を備えた棚装置では、鉛直方向の仕切り板を天板と底板との間に固定した構成が一般的である（例えば、特許文献１参照）。この種の棚装置では、左右の側板の間に底板を固定し、底板の上面に形成された溝に仕切り板の下端部を挿入した後、天板の下面に形成された溝を仕切り板の上端部に一致させながら該天板を側板に対して固定する組立方法が一般的に採用されている。
【先行技術文献】
【特許文献】
【０００３】
【特許文献１】特開２０１２−２００４８号公報
【発明の概要】
【発明が解決しようとする課題】
【０００４】
ところが、上記の組立方法では、仕切り板が複数枚ある場合には、全ての仕切り板の上端部を天板の溝に挿入しつつ天板を固定する必要があり、作業が非常に難しい。従って、このような組立方法では、客先での仕切り板の取り付けが困難であるため、予め工場等で組立てておく必要があり、製造コストが増大すると共に、製品の梱包容積が大型化するといった問題もある。また、ユーザが仕切り板の位置を変更することができず、棚装置の利便性を低下させている。
【０００５】
そこで、仕切り板を左右に傾けて天板及び底板のそれぞれの溝へと順に挿入する取付方法、すなわち仕切り板をけんどん式の取付構造とすることも考えられる。しかしながら、この方法では、取付時に仕切り板を傾ける必要があるため、天板及び底板の溝の幅を大きくする必要があり、取付後にがたを生じることになる。さらに仕切り板を左右に傾けるスペースを確保する必要があるため、仕切り板の設置間隔にある程度の余裕を持たせなければならず、仕切り板の設置枚数に制約を生じることになる。また、仕切り板の倒れ止めのための樹脂等の部品が必要になる等、仕切り板のコストが増加していた。
【０００６】
本発明は、上記従来技術の課題を考慮してなされたものであり、収納空間を左右方向に仕切る仕切り板を所望の位置に容易に設置することができ、仕切り板の加工や構造の簡素化を実現することができる棚装置及び仕切り板の取付方法を提供することを目的とする。
【課題を解決するための手段】
【０００７】
本発明に係る棚装置は、天板と底板と左右の側板とで囲まれた収納空間を有する棚本体と、該収納空間を左右方向に仕切る仕切り板とを備える棚装置であって、前記底板は、その前端部から後方に所定距離離間した位置から後方に向かって形成され、前記仕切り板の下端部が挿入される前後方向の底板溝を有し、前記天板は、その前端部から後方に向かって前記底板溝と対向するように形成され、前記仕切り板の上端部が挿入される前後方向の天板溝を有し、前記仕切り板は、該仕切り板を鉛直方向に立てた状態で、その上端部を前記天板溝の前端開口に挿入し、前記収納空間の前方から後方に向かってスライドさせた場合に、その下端部が前記底板の上面上方を通過可能な高さ寸法を有することを特徴とする。
【０００８】
また、本発明に係る仕切り板の取付方法は、天板と底板と左右の側板とで囲まれた収納空間を有する棚本体に対し、前記収納空間を左右方向に仕切る仕切り板を取り付けるための仕切り板の取付方法であって、前記底板は、その前端部から後方に所定距離離間した位置から後方に向かって形成され、前記仕切り板の下端部が挿入される前後方向の底板溝を有し、前記天板は、その前端部から後方に向かって前記底板溝と対向するように形成され、前記仕切り板の上端部が挿入される前後方向の天板溝を有し、前記仕切り板を鉛直方向に立てた状態で、その上端部を前記天板溝の前端開口に挿入し、前記収納空間の前方から後方に向かってスライドさせることにより、その下端部を前記底板の上面上方を通過させた後、前記底板溝へと落下させることを特徴とする。
【０００９】
このような構成及び方法によれば、棚本体の収納空間を左右方向に仕切る縦置きの仕切り板を取り付ける場合、仕切り板を棚本体の前面開口から真っ直ぐに底板溝及び天板溝に合わせてスライドさせるだけでよく、その取り付けを極めて容易に行うことができる。すなわち、当該棚装置を組立てる場合には、先ず、天板と底板と側板とを所定のビス等によって組み付けて棚本体を構成し、次に、仕切り板を所望の底板溝と天板溝との間にスライドさせるだけで、所望の位置に仕切り板を設置することができ、工場ではなく、客先等であっても容易に組立てることができ、組立て後の位置変更も容易である。また、仕切り板の倒れ止めのための樹脂部品等も不要となり、仕切り板の加工や構造の簡素化も実現できる。しかも、底板溝は、底板の前端部から後方に所定距離離間した位置から形成されているため、当該棚装置を床面上に設置し、立っている利用者が見下ろした場合であっても、底板溝が目立つことがなく、棚装置の外観を損なうことがない。
【００１０】
前記天板の前端部には、後方に向かって下方に傾斜した傾斜面が設けられていてもよい。そうすると、天板溝の前端開口を外部から見え難くすることができるため、棚装置の外観を一層向上させることができる。
【００１１】
前記仕切り板の高さ寸法は、前記天板溝の天面と前記底板の上面との間の鉛直方向距離よりも小さく、且つ前記天板の下面と前記底板溝の底面との間の鉛直方向距離よりも大きくするとよい。そうすると、仕切り板を鉛直方向に立てた状態のまま、円滑に後方へとスライドさせ、天板溝及び底板溝に挿入し、そのまま安定して保持することができる。
【発明の効果】
【００１２】
本発明によれば、棚本体の収納空間を左右方向に仕切る縦置きの仕切り板を取り付ける場合、仕切り板を棚本体の前面開口から真っ直ぐに底板溝及び天板溝に合わせてスライドさせるだけでよく、その取り付けを極めて容易に行うことができる。従って、当該棚装置を組立てる場合には、先ず、天板と底板と側板を所定のビス等によって組み付けて棚本体を構成し、次に、仕切り板を所望の底板溝と天板溝との間にスライドさせるだけで、所望の位置に仕切り板を設置することができ、工場ではなく、客先等であっても容易に組立てることができ、組立て後の位置変更も容易である。
【図面の簡単な説明】
【００１３】
【図１】図１は、本発明の一実施形態に係る棚装置の斜視図である。
【図２】図２は、図１に示す棚装置の正面図である。
【図３】図３は、図２に示す棚装置の側面断面図である。
【図４】図４は、外底板の平面図である。
【図５】図５は、２段目の棚板の平面図である。
【図６】図６は、２段目の棚板の底面図である。
【図７】図７は、仕切り板の側面図である。
【図８】図８は、中段の収納空間での仕切り板の取付方法を説明する動作を示す側面断面図であり、図８（Ａ）は、仕切り板の上端部を棚板の天板溝の前端開口に挿入した状態を示す図であり、図８（Ｂ）は、図８（Ａ）に示す状態から仕切り板を後方に向かってスライドさせ、所定の取付位置に設置した状態を示す図である。
【図９】図９は、収納空間の天板となる棚板の前端部に傾斜面を設けた構成を示す要部拡大斜視図である。
【図１０】図１０は、図９に示す棚板を上方から見下ろした斜視図である。
【図１１】図１１は、傾斜面を設けた棚板の前端部付近を拡大した側面断面図である。
【図１２】図１２は、切欠部を設けた棚板の前端部付近を拡大した側面断面図である。
【発明を実施するための形態】
【００１４】
以下、本発明に係る仕切り板の取付方法について、この取付方法を適用可能な棚装置との関係で好適な実施の形態を挙げ、添付の図面を参照しながら詳細に説明する。
【００１５】
図１は、本発明の一実施形態に係る棚装置１０の斜視図である。図２は、図１に示す棚装置１０の正面図であり、図３は、図２に示す棚装置１０の側面図である。本実施形態に係る棚装置１０は、書籍や荷物等を収納する上下３段の収納空間Ｓ１，Ｓ２，Ｓ３を備え、中段及び下段の収納空間Ｓ２，Ｓ３を縦置きの仕切り板１２によって左右方向で複数の区画に仕切ることができる収納棚である。なお、図３では、仕切り板１２を省略している。
【００１６】
以下では、図１に示す棚装置１０を正面側から見た方向で、手前側（正面側）を前方、奥側（背面側）を後方、横方向をそれぞれ左右方向（横方向）、高さ方向を上下方向と規定して各要素の構成及び位置関係を説明する。
【００１７】
図１〜図３に示すように、棚装置１０は、上下３段の収納空間Ｓ１〜Ｓ３を有する棚本体１４と、棚本体１４の収納空間Ｓ２，Ｓ３を左右方向に仕切る複数の仕切り板１２とを備える。図１及び図２では、仕切り板１２を収納空間Ｓ２，Ｓ３にそれぞれ２枚ずつ設置した構成を例示しているが、収納空間Ｓ２，Ｓ３には、それぞれ最大４枚まで設置することができる構造となっている。仕切り板１２の設置可能枚数を変更してもよいことは勿論である。
【００１８】
棚本体１４は、床面上に立脚される左右一対の側板１６，１６と、側板１６，１６間の上端間及び下端間を連結する外天板１８及び外底板２０と、側板１６，１６間の背面側を塞ぐ背板２２とを備え、前面が開口した箱形状である。外底板２０の前方下部には、該外底板２０の下方空間の前方を塞ぐ幕板２３が設けられている。棚本体１４では、外天板１８、外底板２０及び左右の側板１６，１６で囲まれる空間が、２枚の棚板２４，２６によって上下方向で３段の収納空間Ｓ１〜Ｓ３に区画されている。棚板２４，２６の設置数は適宜変更可能であり、また、側板も左右一対のみならず左右方向に３枚以上を立設した構成等であってもよい。
【００１９】
図２及び図３に示すように、棚装置１０では、外天板１８及び１段目の棚板２４が、それぞれ上段の収納空間Ｓ１の天板及び底板となる。１段目の棚板２４及び２段目の棚板２６が、それぞれ中段の収納空間Ｓ２の天板及び底板となり、その間に仕切り板１２が設置される。２段目の棚板２４及び外底板２０が、それぞれ下段の収納空間Ｓ３の天板及び底板となり、その間に仕切り板１２が設置される。図１及び図３に示すように、棚板２４，２６の前後方向寸法は、外天板１８及び外底板２０の前後方向寸法より短く形成されている。従って、棚板２４，２６の前端部２４ａ，２６ａは、外天板１８の前端部１８ａ及び外底板２０の前端部２０ａより後方にオフセットした位置に配置される。
【００２０】
図４は、外底板２０の平面図であり、図５は、２段目の棚板２６の平面図であり、図６は、２段目の棚板２６の底面図である。
【００２１】
図２、図３及び図４に示すように、下段の収納空間Ｓ３の底板となる外底板２０の上面２０ｂには、前後方向に延びた溝部である底板溝３０が左右方向に等間隔で４本形成されている。各底板溝３０は、外底板２０の前端部２０ａから距離Ｌ１だけ後方にオフセットした位置から後方に向かって上面２０ｂの中央やや後寄りとなる位置まで延在している（図４参照）。
【００２２】
図２、図３及び図５に示すように、中段の収納空間Ｓ２の底板となる２段目の棚板２６の上面２６ｂにも、前後方向に延びた溝部である底板溝３０が左右方向に等間隔で４本形成されている。この棚板２６の底板溝３０は、外底板２０の底板溝３０と同一形状であり、棚板２６の前端部２６ａから距離Ｌ２だけ後方にオフセットした位置から後方に向かって上面２６ｂの中央やや前寄りとなる位置まで延在している。
【００２３】
図２、図３及び図６に示すように、下段の収納空間Ｓ３の天板となる２段目の棚板２６の下面２６ｃには、外底板２０の底板溝３０と対向するように前後方向に延びた溝部である天板溝３２が左右方向に等間隔で４本形成されている。各天板溝３２は、棚板２６の前端部２６ａから後方に向かって下面２６ｃの中央やや前寄りとなる位置まで延在している。図２及び図３から明らかなように、１段目の棚板２４の下面２４ｃは、棚板２６の下面２６ｃと同一形状であり、この下面２４ｃにも４本の天板溝３２が形成されている。
【００２４】
図７は、仕切り板１２の側面図である。
【００２５】
図１、図２及び図７に示すように、仕切り板１２は、側面視略矩形の薄板部材であり、その前側の上下端面にそれぞれ上方及び下方に突出した突出部１２ａ，１２ｂが形成されている。突出部１２ａ，１２ｂの板厚（幅）は、仕切り板１２全体の板厚と同一であり、底板溝３０及び天板溝３２の幅より若干小さく設定されている。突出部１２ａ，１２ｂの前後方向の長さＬａは、底板溝３０の前後方向の長さＬｂ（図４及び図５参照）より若干短く設定されている。なお、天板溝３２の前後方向の長さＬｃ（図６参照）は、底板溝３０の長さＬｂよりも長く、つまり突出部１２ａ，１２ｂの長さＬａよりも長い（Ｌｃ＞Ｌｂ＞Ｌａ）。これにより、仕切り板１２の上端部となる突出部１２ａを天板溝３２に挿入し、下端部となる突出部１２ｂを底板溝３０に挿入することができる。
【００２６】
ここで、図７に示すように、仕切り板１２の高さ寸法、つまり突出部１２ａの上端と突出部１２ｂの下端との間の高さ寸法を高さＨａと称し、図３に示すように、１段目の棚板２４の天板溝３２の天面（天板溝３２の底）と２段目の棚板２６の上面２６ｂとの間の鉛直方向距離を高さＨｂと称する。なお、２段目の棚板２６の天板溝３２の天面と外底板２０の上面２０ｂとの間の鉛直方向距離も高さＨｂとなっている。また、１段目の棚板２４の下面２４ｃと２段目の棚板２６の底板溝３０の底面（底板溝３０の底）との間の鉛直方向距離を高さＨｃと称する。なお、２段目の棚板２６の下面２６ｃと外底板２０の底板溝３０の底面との間の鉛直方向距離も高さＨｃとなっている。さらに、１段目の棚板２４の天板溝３２の天面と２段目の棚板２６の底板溝３０の底面との間の鉛直方向距離を高さＨｄと称する。なお、２段目の棚板２６の天板溝３２の天面と外底板２０の底板溝３０の底面との間の鉛直方向距離も高さＨｄとなっている。
【００２７】
この場合、棚装置１０では、仕切り板１２の高さＨａは、高さＨｂより小さく、且つ高さＨｃより大きく、さらに高さＨｄより小さく設定されている（Ｈｃ＜Ｈａ＜Ｈｂ＜Ｈｄ）。
【００２８】
次に、以上のように構成される棚装置１０での棚本体１４に対する仕切り板１２の取付方法について、主に図８を参照して説明する。
【００２９】
図８は、中段の収納空間Ｓ２での仕切り板１２の取付方法を説明する動作を示す側面断面図であり、図８（Ａ）は、仕切り板１２の上端部を棚板２４の天板溝３２の前端開口に挿入した状態を示す図であり、図８（Ｂ）は、図８（Ａ）に示す状態から仕切り板１２を後方に向かってスライドさせ、所定の取付位置に設置した状態を示す図である。なお、下段の収納空間Ｓ３での仕切り板１２の取り付けは、図８に示す中段の収納空間Ｓ２での仕切り板１２の取り付けと略同様に行うことができるため、その詳細な説明は省略する。
【００３０】
先ず、図８（Ａ）に示すように、仕切り板１２を一方の突出部１２ａを上端とし、他方の突出部１２ｂを下端として鉛直方向に立てた状態とし、突出部１２ａ，１２ｂが形成された側とは反対側の後端側を、棚板２４，２６間の前面開口から収納空間Ｓ２内へと挿入する。そして、上端の突出部１２ａを天板となる棚板２４の天板溝３２へとその前端開口から挿入し、下端の突出部１２ｂを底板となる棚板２６の上面２６ｂの上方に通過させる。
【００３１】
この際、上記したように、仕切り板１２の突出部１２ａ，１２ｂ間の高さＨａは、棚板２４の天板溝３２の天面と棚板２６の上面２６ｂとの間の高さＨｂより若干小さく設定されている（図３及び図７参照）。このため、図８（Ａ）に示すように、仕切り板１２を鉛直方向に立てた状態のまま、棚板２４の天板溝３２と棚板２６の上面２６ｂとの間に円滑に挿入し、後方へとスライドさせることができる。
【００３２】
続いて、仕切り板１２を収納空間Ｓ２の後方へとさらにスライドさせることにより、図８（Ｂ）に示すように、下端の突出部１２ｂを底板となる棚板２６の底板溝３０に落下させる。これにより、仕切り板１２は、その上端の突出部１２ａが天板となる棚板２４の天板溝３２に挿入された状態で、下端の突出部１２ｂが底板となる棚板２６の底板溝３０に挿入されるため、天底の棚板２４，２６間で鉛直方向に起立した状態で保持され、その取り付けが完了する。なお、仕切り板１２の取り外しは、取り付けと逆の手順で行えばよい。
【００３３】
この際、上記したように、仕切り板１２の突出部１２ａ，１２ｂ間の高さＨａは、棚板２４の下面２４ｃと棚板２６の底板溝３０の底面との間の高さＨｃより大きく設定され、さらに、棚板２４の天板溝３２の天面と棚板２６の底板溝３０の底面との間の高さＨｄより小さく設定されている（図３及び図７参照）。このため、図８（Ｂ）に示すように、仕切り板１２の突出部１２ａ，１２ｂを、それぞれ棚板２４の天板溝３２及び棚板２６の底面溝３０に係合させた状態で、仕切り板１２を棚板２４，２６間に安定して縦置き保持することができる。
【００３４】
以上のように、本実施形態に係る棚装置１０によれば、収納空間Ｓ２（Ｓ３）の底板となる棚板２６（外底板２０）は、その前端部２６ａ（２０ａ）から後方に長さＬ２（Ｌ１）離間した位置から後方に向かって形成され、仕切り板１２の下端部となる突出部１２ｂが挿入される前後方向の底板溝３０を有し、収納空間Ｓ２（Ｓ３）の天板となる棚板２４（２６）は、その前端部２４ａ（２６ａ）から後方に向かって底板溝３０と対向するように形成され、仕切り板１２の上端部となる突出部１２ａが挿入される前後方向の天板溝３２を有する。そして、仕切り板１２は、該仕切り板１２を鉛直方向に立てた状態で、その上端部の突出部１２ａを棚板２４（２６）の天板溝３２の前端開口に挿入し、収納空間Ｓ２（Ｓ３）の前方から後方に向かってスライドさせた場合に、その下端部の突出部１２ｂが棚板２６（外底板２０）の上面２６ｂ（２０ｂ）上方を通過可能な高さＨａとなっている。
【００３５】
従って、収納空間Ｓ２，Ｓ３を左右方向に仕切る縦置きの仕切り板１２を取り付ける場合、仕切り板１２を棚本体１４の前面開口から真っ直ぐに底板溝３０及び天板溝３２に合わせて後方へとスライドさせるだけでよく、その取り付けや位置変更を極めて容易に行うことができる。すなわち、当該棚装置１０を組立てる場合には、先ず、外天板１８と外底板２０と側板１６と棚板２４，２６とを、所定のビス等によって組み付けて棚本体１４を構成し、次に、仕切り板１２を所望の底板溝３０と天板溝３２との間にスライドさせるだけで、所望の位置に仕切り板１２を設置し、或いは設置変更することができ、工場ではなく、客先等であっても容易に組立てることができる。また、仕切り板１２の倒れ止めのための樹脂部品等も不要となり、仕切り板１２の加工や構造の簡素化も実現できる。
【００３６】
しかも、底板溝３０は、底板となる棚板２６（外底板２０）の前端部２６ａ（２０ａ）から後方に長さＬ２（Ｌ１）離間した位置から形成されているため、当該棚装置１０を床面上に設置し、立っている利用者が見下ろした場合であっても、底板溝３０が外観上で目立つことがなく、棚装置１０の外観が向上する（図１参照）。つまり、仕切り板１２を所定位置に設置した場合に、底板溝３０の前端縁部と仕切り板１２の前端縁部とが一致し、該底板溝３０の前端部が外部に露出しないように各部寸法を設定することにより、棚装置１０の外観が損なわれることを防止できる。
【００３７】
このように、仕切り板１２の取付構造は、これを鉛直方向に立てた状態のまま、収納空間Ｓ２，Ｓ３の奥側に向かってスライドさせるだけの構造である。このため、底板溝３０及び天板溝３２の幅を仕切り板１２の板厚より僅かに広い程度とすることができ、設置後の仕切り板１２にがたを生じることを防止できる。また、左右方向での底板溝３０及び天板溝３２の設置間隔の制約がないため、隣接する仕切り板１２の設置間隔の自由度が高い。さらに、棚装置１０では、縦方向の仕切り板１２を所望の位置に容易に取り付け、或いは位置変更することができるため、例えば、左右方向に所望の間隔で仕切られた収納空間Ｓ２，Ｓ３へと、児童用の教科書やノートを教科毎に収納・整理することができ、利便性が高い。
【００３８】
なお、当該棚装置１０では、仕切り板１２に突出部１２ａ，１２ｂを設け、これら突出部１２ａ，１２ｂを天底の底板溝３０及び天板溝３２にそれぞれ挿入する構成としたが、突出部１２ａ，１２ｂを設けず、仕切り板１２をその上端と下端の高さ寸法を一定として側面視矩形に構成してもよい（図７中に２点鎖線で示す仕切り板１２参照）。このように仕切り板１２に突出部１２ａ，１２ｂを設けない場合には、図４〜図６中に２点鎖線で示す底板溝３０及び天板溝３２のように、仕切り板１２の形状に合わせて、各底板溝３０及び天板溝３２を後方へと伸ばした形状とすればよい。
【００３９】
ところで、上記したように、当該棚装置１０では、底板溝３０を棚板２６（外底板２０）の前端部２６ａ（２０ａ）から後方にオフセットした位置に設けることにより、底板溝３０が外観を損なうことを防止している（図１参照）。この際、天板溝３２は、棚板２４（２６）の下面２４ｃ（２６ｃ）側に形成されているため、その前端が棚板２４（２６）の前端部２４ａ（２６ａ）に開口してはいるが、棚装置１０の外観を大きく損なうことが防止されている。この天板溝３２を一層目立たなくするため、例えば、図９及び図１２に示す構成等を設けてもよい。
【００４０】
図９は、収納空間Ｓ２の天板となる棚板２４の前端部２４ａに傾斜面４０を設けた構成を示す要部拡大斜視図であり、図１０は、図９に示す棚板２４を上方から見下ろした斜視図である。また、図１１は、傾斜面４０を設けた棚板２４の前端部２４ａ付近を拡大した側面断面図である。
【００４１】
図９及び図１１に示すように、傾斜面４０は、棚板２４の前端部２４ａの顎部となる略下半分を斜めに切除するように形成され、後方に向かって下方に傾斜したテーパ部である。傾斜面４０は、少なくとも棚板２４の全ての天板溝３２に対応するように該棚板２４の左右方向に延在形成されるとよく、図９では、棚板２４の全幅に渡って傾斜面４０を形成した構成を例示している。傾斜面４０は、棚板２６に設けても勿論よい。
【００４２】
傾斜面４０を設けることにより、図１０に示すように、棚板２４を上方から見下ろした場合であっても、天板溝３２の前端開口が見え難くなるため、棚装置１０の外観を一層向上させることができる。また、棚装置１０を正面側から見た際に、棚板２４の板厚が薄く見え、その外観をさらに向上させる効果もある。特に、棚板２４，２６は、天板溝３２や底板溝３０が形成されているため、その板厚をある程度確保しておく必要があるが、傾斜面４０を設けておくことにより板厚を薄く見せることができ、その効果はより顕著なものとなっている。
【００４３】
図１２に示すように、傾斜面４０に代えて、切欠部４２を設けてもよい。切欠部４２は、棚板２４の前端部２４ａの顎部となる略下半分を断面矩形に切除して形成されている。このような切欠部４２を形成することによっても、天板溝３２の前端開口が見え難くなるため、棚装置１０の外観を一層向上させることができる。
【００４４】
なお、本発明は、上記した実施形態に限定されるものではなく、本発明の主旨を逸脱しない範囲で自由に変更できることは勿論である。
【００４５】
例えば、上記実施形態では、上下３段の収納空間Ｓ１〜Ｓ３を有し、そのうちの収納空間Ｓ２，Ｓ３に仕切り板１２を設置する構成を例示したが、収納空間は１段でも４段以上であっても勿論よく、また、上段の収納空間Ｓ１に仕切り板１２を設置する構成としても勿論よい。また、上記実施形態では、収納空間Ｓ２，Ｓ３に同一形状の仕切り板１２を設置する構成を例示したが、収納空間Ｓ２，Ｓ３の高さ寸法が異なる場合には、それぞれの高さ寸法に対応した仕切り板１２を設置すればよい。
【符号の説明】
【００４６】
１０  棚装置
１２  仕切り板
１２ａ，１２ｂ  突出部
１４  棚本体
１６  側板
１８  外天板
１８ａ，２０ａ，２４ａ，２６ａ  前端部
２０  外底板
２０ｂ，２６ｂ  上面
２２  背板
２４，２６  棚板
２４ｃ，２６ｃ  下面
３０  底板溝
３２  天板溝
４０  傾斜面
４２  切欠部
Ｓ１〜Ｓ３  収納空間
【図１】
2015006250.tif 000003
【図２】
2015006250.tif 000004
【図３】
2015006250.tif 000005
【図４】
2015006250.tif 000006
【図５】
2015006250.tif 000007
【図６】
2015006250.tif 000008
【図７】
2015006250.tif 000009
【図８】
2015006250.tif 000010
【図９】
2015006250.tif 000011
【図１０】
2015006250.tif 000012
【図１１】
2015006250.tif 000013
【図１２】
2015006250.tif 000014